(57)【特許請求の範囲】
【請求項１】
雨水を屋根の軒先等から集水して地上に導く雨樋において、
上記雨樋の基材の表面に、ステンレス鋼の鱗片粉を調合した塗料で塗装して、手垢や指紋などの付着を防止する微細な凹凸が形成された塗装表面を形成したことを特徴とする雨樋。
【請求項２】
請求項１において、
上記鱗片粉の厚みは０．１〜１．０μに形成しており、この鱗片粉を上記基材の表面に落葉的に定着塗装したことを特徴とする雨樋。
【請求項３】
請求項１又は２の何れかにおいて、
上記鱗片粉を調合した塗料の塗装厚みは、１０〜３０μであり、上記基材の表面に４Ｈ〜６Ｈの範囲の硬度で定着塗装したことを特徴とする雨樋。
【請求項４】
請求項１〜３の何れかにおいて、
上記塗料は、顔料で調色した着色塗料で塗装したことを特徴とする雨樋。
【発明の詳細な説明】
【０００１】
【発明の属する技術分野】
本発明は、雨水を屋根の軒先等から集水して地上に導く雨樋に関する。
【０００２】
【従来の技術】
図４は、従来の雨樋を示す部品構成図である。
【０００３】
本明細書中で述べる雨樋とは、雨水を屋根の軒先等から集水して地上に導く筒体に限られず、図４で示すような、軒樋Ａ、竪樋Ｂ、集水器Ｃ、止水器Ｄ、継手管Ｅなどの総称を意味している。
【０００４】
この雨樋１００は、金属又は合成樹脂によって適宜形状に形成した基材の表面に、合成樹脂製塗料を塗装している。
【０００５】
ここで、塗装とは、吹付け、ロールコーター、フローコーター、電解、浸漬等の既存の塗装方法によって行なわれる総称である。
【０００６】
図５は、従来の雨樋の塗装表面を拡大した要部断面図である。
【０００７】
この図５で示すように、雨樋１００は、基材１０１の表面に、塗料１０２が塗装されており、その表面は面一に仕上げられている。
【０００８】
【発明が解決しようとする課題】
しかし、雨樋１００は、風雨に晒される悪条件の元で使用されるため、その表面に塗装された塗料１０２には、直射日光によるひび割れや、退色などが生じ易いという問題がある。
【０００９】
また、雨樋１００の表面の塗装が面一であるため、施工時などの取り扱い作業で雨樋の表面に手垢や指紋などが付着して汚れてしまうという問題もある。
【００１０】
しかも、近年の建物等のデザイン向上に伴い、雨樋１００にも新たな質感などが要望されている。
【００１１】
本発明は、上記従来の問題に鑑みてなされたものであって、長年の使用によってもひび割れや退色が生じ難く、手で触っても表面が指紋で汚れることもなく、しかも従来に無かった新たな質感を与えることのできる雨樋を提供する。
【００１２】
【課題を解決するための手段】
上記目的を達成するため、請求項１に係る雨樋は、雨水を屋根の軒先等から集水して地上に導く雨樋において、上記雨樋の基材の表面に、金属箔片よりなるステンレス鋼の鱗片粉を調合した塗料で塗装して、手垢や指紋などの付着を防止する微細な凹凸が形成された塗装表面を形成したことを特徴とする。
【００１３】
請求項１では、ステンレス鋼の鱗片粉を調合した塗料で、雨樋の表面を塗装している。
【００１４】
ここで、鱗片粉とは、薄膜の金属粉を意味し、具体的には、ステンレス鋼などの極低炭素鋼（ＪＩＳ規格：ＳＵＳ３１６Ｌ）よりなる箔片粉を意味している。
【００１５】
そのため、この鱗片粉が塗料への直射日光を防御し、塗料のひび割れや退色を防止できる。
【００１６】
また、雨樋の表面は、鱗片粉によって、手垢や指紋などの付着を防止する微細な凹凸が形成された塗装表面に仕上げられているため、施工時などの取り扱い作業で雨樋の表面に手垢や指紋などが付着して汚れることを防止でき、雨樋表面の美観を維持できる。
【００１７】
また、鱗片粉に光が反射することで、雨樋の表面がキラキラと輝き、従来に無い新たな質感を提供できる。
【００１８】
請求項２に係る雨樋は、請求項１において、上記鱗片粉の厚みは、０．１〜１．０μに形成しており、この鱗片粉を上記基材の表面に落葉的に定着塗装したことを特徴とする。
【００１９】
ここで、落葉的とは、隣接する鱗片粉同士が、あたかも落葉が堆積したかのように互いに重なり合いながら定着塗装している状態を意味する。
【００２０】
請求項２では、鱗片粉の厚みを薄膜とし、落葉的に定着塗装しているので、この鱗片粉が塗料への直射日光を確実に防御し、塗料のひび割れや退色を確実に防止できる。
【００２１】
請求項３に係る雨樋は、請求項１又は２の何れかにおいて、上記鱗片粉を調合した塗料の塗装厚みは、１０〜３０μであり、上記基材の表面に４Ｈ〜６Ｈの範囲の硬度で定着塗装したことを特徴とする。
【００２２】
請求項３では、塗装厚みを１０〜３０μに形成し、その硬度を４Ｈ〜６Ｈに保持させて定着塗装しているので、雨樋の表面にキズが付き難くできる。
【００２３】
請求項４に係る雨樋は、請求項１〜３の何れかにおいて、上記塗料は、顔料で調色した着色塗料で塗装したことを特徴とする。
【００２４】
請求項４では、鱗片粉を調合した塗料に、さらに顔料を調色しているので、鱗片粉による金属調と顔料による色調とが相乗的に作用して新たな質感に加え、建物の色彩に合わせた種々の色彩を有する雨樋を提供できる。
【００２５】
【発明の実施の形態】
以下、本発明に係る雨樋Ａを図面に基づき説明する。
【００２６】
図１は、本発明に係る雨樋を示す部品構成図である。
【００２７】
本明細書中で述べる雨樋とは、雨水を屋根の軒先等から集水して地上に導く筒体に限られず、図１で示すような、軒樋Ａ、竪樋Ｂ、集水器Ｃ、止水器Ｄ、継手管Ｅなどの総称を意味している。
【００２８】
図２は、本発明に係る雨樋の塗装表面を拡大した要部断面図である。
【００２９】
この図で示すように、雨樋１の基材１１は、合成樹脂又は金属で適宜形状に成形されており、この基材１１の表面にステンレス鋼の鱗片粉２を調合した塗料で塗装している。
【００３０】
ここで、鱗片粉２とは、前述のとおりであり、この鱗片粉２を被覆した状態で雨樋１の表面が塗装されている。
【００３１】
そのため、この鱗片粉２が塗料への直射日光を防御し、風雨に晒される悪条件の元で使用される雨樋１であっても、その表面に塗装された塗料のひび割れや退色を防止できる。
【００３２】
なお、塗装とは、吹付け、ロールコーター、フローコーター、電解、浸漬等の既存の塗装方法によって行なわれる総称である。
【００３３】
また、鱗片粉２を調合した塗料で雨樋１の表面を塗装しているので、雨樋１の表面を面一ではなく、微細な凹凸が形成された状態に仕上げて、手垢や指紋などの付着を防止する塗装表面を形成することができる。
【００３４】
このように雨樋１の表面に微細な凹凸が形成されて、手垢や指紋などの付着を防止する塗装表面を形成しているので、施工時などの取り扱い作業で雨樋１の表面に手垢や指紋などが付着して汚れることを防止でき、雨樋１表面の美観を維持できる。
【００３５】
さらに、ステンレス鋼の鱗片粉２は光を反射するが、各々の鱗片粉２、２…によって光の反射が一様でないため、雨樋１の表面がキラキラと輝き、従来に無い雨樋１の質感を提供できる。
【００３６】
本実施例では、鱗片粉２の厚みは、０．１〜１．０μに形成しており、この鱗片粉２を基材１１の表面に落葉的に定着塗装している。
【００３７】
このように鱗片粉２の厚みを０．１以上に形成することで、太陽光による基材１１へのシールドを行なうことができる。
【００３８】
また、鱗片粉２の厚みを１．０以下に形成することで、塗料のひび割れや退色を防止できる。
【００３９】
また、鱗片粉２を落葉的に定着塗装することで、この鱗片粉２が基材１１への太陽光のシールドを確実に行なうことができる。
【００４０】
図３は、本発明に係る雨樋の他の実施例を示す要部拡大断面図である。
【００４１】
図３の雨樋１は、鱗片粉２を調合した塗料の塗装厚みｔを、１０〜３０μに形成している。この１０〜３０μの塗装厚みｔを形成することで、雨樋１に少なくとも４Ｈ〜６Ｈの範囲の硬度を保持でき、そのため、雨樋１の表面にキズを付き難くできる。
【００４２】
また、雨樋１の表面に透明な塗料を更に塗装することも可能であり、この場合には雨樋１の表面にキズを付き難くできるうえ、塗料が剥離することも防止できる。
【００４３】
また、図２、３で示した雨樋１の塗料には、顔料で調色した着色塗料で塗装することができる。
【００４４】
このように上記鱗片粉２を調合した塗料に、さらに顔料を調色しているので、新たな質感に加え、建物の色彩に合わせた種々の色彩を有する雨樋１を提供できる。
【発明の効果】
本発明によれば、次のような効果がある。
【００４５】
請求項１に係る雨樋によれば、鱗片粉を調合した塗料で、雨樋の表面を塗装しているため、この鱗片粉が塗料への直射日光を防御し、塗料のひび割れや退色を防止できる。
【００４６】
また、雨樋の表面は、鱗片粉によって、手垢や指紋などの付着を防止する微細な凹凸が形成された塗装表面に仕上げられるため、施工時などの取り扱い作業で雨樋の表面に手垢や指紋などが付着して汚れることを防止でき、雨樋表面の美観を維持できる。
【００４７】
さらに、鱗片粉に光が反射することで、雨樋の表面がキラキラと輝き、従来に無い新たな質感を提供できる。
【００４８】
請求項２に係る雨樋によれば、鱗片粉の厚みを０．１〜１．０μの薄膜に形成し、これを落葉的に定着塗装しているので、この鱗片粉が基材への直射日光を確実に防御し、塗料のひび割れや退色を確実に防止できる。
【００４９】
請求項３に係る雨樋によれば、塗装厚みを１０〜３０μに形成し、その硬度を４Ｈ〜６Ｈに保持させて定着塗装しているので、雨樋の表面にキズが付き難くできる。
【００５０】
請求項４に係る雨樋によれば、鱗片粉を調合した塗料に、さらに顔料を調色しているので、新たな質感に加え、建物の色彩に合わせた種々の色彩を有する雨樋を提供できる。
【図面の簡単な説明】
【図 １】本発明に係る雨樋を示す部品構成図
【図 ２】本発明に係る雨樋の塗装表面を拡大した要部断面図
【図 ３】本発明に係る雨樋の他の実施例を示す要部拡大断面図
【図 ４】従来の雨樋を示す部品構成図
【図 ５】従来の雨樋の塗装表面を拡大した要部断面図
【符号の説明】
１ 雨樋
１１ 基材
２ 鱗片粉
【図１】
0003602772.tif 000002
【図２】
0003602772.tif 000003
【図３】
0003602772.tif 000004
【図４】
0003602772.tif 000005
【図５】
0003602772.tif 000006